(57)【要約】      （修正有）【課題】フェロモン剤や芳香剤等を内臓させることなく、また、水等を常時用意することなく簡易な構成で、ブルーベリー栽培域に飛来するコガネムシ科昆虫を捕獲するコガネムシ科昆虫捕獲装置を提供する。【解決手段】ブルーベリー栽培域に飛来するコガネムシ科昆虫を捕獲する装置１であり、コガネムシ科昆虫を光で誘引する環状光源部１０と、環状光源部の下方に垂設されたコガネムシ科昆虫が停まるための放射状捕捉部２０と、放射状捕捉部の下部に連接されたロート状の誘引部３０と、誘引部から落下するコガネムシ科昆虫を捕獲する捕獲容器４０とを具備している。【選択図】図１
0003164250.tif 000002
【実用新案登録請求の範囲】
【請求項１】
ブルーベリー栽培域に飛来するコガネムシ科昆虫を捕獲する装置であり、前記コガネムシ科昆虫を光で誘引する環状光源部と、前記コガネムシ科昆虫が停まるように前記環状光源部の下方に垂設された放射状捕捉部と、前記放射状捕捉部の下部に連接されたロート状の誘引部と、前記誘引部から落下する前記コガネムシ科昆虫を捕獲する捕獲容器とを具備したことを特徴とするコガネムシ科昆虫捕獲装置。
【請求項２】
前記環状光源部の周縁に円筒状の光拡散板が配設されている請求項１に記載のコガネムシ科昆虫捕獲装置。
【請求項３】
前記環状光源部が紫外線発光ダイオードで構成されている請求項１又は２に記載のコガネムシ科昆虫捕獲装置。
【請求項４】
前記放射状捕捉部が表面摩擦係数が小さい材料で形成されている請求項１乃至３のいずれかに記載のコガネムシ科昆虫捕獲装置。
【請求項５】
前記捕獲容器が、脱着可能な底容器を備えている請求項１乃至４のいずれかに記載のコガネムシ科昆虫捕獲装置。
【請求項６】
前記底容器が透明材料若しくは半透明材料で構成されている請求項５に記載のコガネムシ科昆虫捕獲装置。
【考案の詳細な説明】
【技術分野】
【０００１】
本考案は、ブルーベリー栽培域に飛来するコガネムシ科昆虫を捕獲するコガネムシ科昆虫捕獲装置に関し、特に保守性及び環境保全に優れ、簡易な構成で効率良くコガネムシ科昆虫を捕獲するコガネムシ科昆虫捕獲装置に関する。
【背景技術】
【０００２】
蝿や蚊、蛾、羽アリ等の害虫は不快害虫として嫌われており、これら害虫が例えば食品加工所や飲食店、工場、量販店、コンビニ等の施設に侵入すると不衛生なばかりか、製品等に混入した場合、返品や不良品の原因となると共に、食品加工所等の場合は、たとえ１個の製品に害虫が混入しても、同じロットで生産した製品の全てを回収する事態が生じ、経済的に大きな損失となる問題がある。
【０００３】
このためこれらの施設では、建屋を密閉して外部から屋内へ害虫が侵入するのを防止する等の対策を講じているが、光に集まる習性のある害虫の場合、建屋を密閉構造にしても、僅かな隙間から光に誘引されて屋内へ侵入することがあり、また建屋へ人が出入りする際、人に付着して屋内へ侵入することがよくある。また屋内に一旦侵入した害虫は、殺虫剤等を使用して駆除することになるが、食品加工場や飲食店、コンビニ等のように主に食品を扱う施設では、殺虫剤を使用して害虫を駆除することはできない問題がある。
【０００４】
一方、従来芝地、牧草地、果樹園、庭園などにおいて、特にブルーベリーを害食する植物害虫となっているコガネムシ科昆虫に対して、その防除には化学合成された農薬を用いることが一般的であった。ブルーベリーを害食するコガネムシ科昆虫は、広食性のドウガネブイブイを始め、クロコガネ、マメコガネ、スジコガネ、ツヤコガネなど数種が知られている。しかし、環境問題が重要視される時代背景下、自然環境や人体への悪影響が懸念される化学農薬に代わって、環境保全に貢献することのできる安全性の高い生物的防除法が切望されていた。このような観点から、昆虫に対して殺虫性を有する微生物を用いた微生物農薬が開発されており、例えば鱗翅目や蚊の幼虫に対して病原性を有するバチルス・チューリンゲンシス（Bacillus  thuringiensis）の生菌又はその殺虫成分を農薬とするいわゆるＢＴ剤（バイオトピア）は代表的なものとして知られている。コガネムシ科昆虫についても、乳化病に冒されたマメコガネ（Popillia  japonica）幼虫から単離されたバチルス・ポピリエに属する微生物が、マメコガネ幼虫に対して乳化病を誘発することが知られており、既に米国においては該微生物を用いた微生物製剤が市販されている。しかしながら、該微生物は日本で重要害虫となっているドウガネブイブイ（Anomala  cuprea）に対しては効果がない（農業有用微生物−その利用と展望− 梅谷献二、加藤肇 ２３６頁 １９９０年）ため、我が国においてコガネムシ科幼虫防除剤として使用するには満足できるものではなかった。ドウガネブイブイに対して殺虫性を有するバチルス属細菌としては、バチルス・チューリンゲンシスに属する微生物（バチルス・チューリンゲンシス・バー・ジャポネンシスＮ１４１株、特開平８−２２８７８３号公報）が知られているが、バチルス・ポピリエに属する微生物は知られていない。
【０００５】
ここにおいて、特開平１１−３３２５５６号公報（特許文献１）ではバチルス・ポピリエ・セマダラ株の菌体、胞子又は該胞子を含む組成物を用いてコガネムシ科昆虫を防除するようにしている。しかしながら、コガネムシ科昆虫が多く飛来するブルーベリー栽培域では、バチルス・ポピリエ・セマダラ株の菌体、胞子又は該胞子を含む組成物が微生物でもあり、コガネムシ科昆虫の個体数を減少させる上では効果が余りないと共に、価格が非常に高いという問題がある。
【０００６】
また、畑、果樹に飛来する害虫を捕獲する装置として特開２００４−３５０６０９号公報（特許文献２）では、傘型誘蛾灯と、（Ｒ，Ｚ）１−５−（１−デセニル）−ジヒドロ−２−（３Ｈ）−フラノンなどの性フェロモン剤を使用して害虫を捕獲する装置が提案されている。特許文献２の装置はコガネムシ科昆虫の捕獲にも適用可能であるが、フェロモンという特殊な誘引剤を用いると共に、誘蛾灯の下部に水を張った捕獲容器が必要なため、その保守作業が煩雑になる問題がある。
【０００７】
更に特開平５−１５２８６号公報（特許文献３）では性フェロモン剤に加え、オイゲノール、ゲラニオール等の芳香誘引剤を用いて鞘翅目飛行性害虫を誘引して捕獲する誘引捕獲器を提案している。しかしながら、性フェロモン剤や芳香剤を常時装置内に準備して内臓させなければならず、その保守が面倒であり、作業性も悪い問題がある。
【先行技術文献】
【特許文献】
【０００８】
【特許文献１】特開平１１−３３２５５６号公報
【特許文献２】特開２００４−３５０６０９号公報
【特許文献３】特開平５−１５２８６号公報
【考案の概要】
【考案が解決しようとする課題】
【０００９】
ブルーベリー栽培域では、害虫が飛来しないようにネットや金網等を張り巡らして防御しているが、特にコガネムシ科昆虫は小さな隙間等から中に入り込み、実ったブルーベリーを害食する被害が改善されておらず、コガネムシ科昆虫の個体数を効果的に減少若しくは駆逐するための対策が強く望まれている。
【００１０】
本考案は上述のような事情によりなされたものであり、本考案の目的は、フェロモン剤や芳香剤等を利用することなく、また、水や油等を常時用意することなく、保守性及び環境保全に優れ、簡易な構成で、ブルーベリー栽培域に飛来するコガネムシ科昆虫を効率良く捕獲するコガネムシ科昆虫捕獲装置を提供することにある。
【課題を解決するための手段】
【００１１】
本考案は、ブルーベリー栽培域に飛来するコガネムシ科昆虫を捕獲するコガネムシ科昆虫捕獲装置に関し、本考案の上記目的は、前記コガネムシ科昆虫を光で誘引する環状光源部と、前記コガネムシ科昆虫が停まるように前記環状光源部の下方に垂設された放射状捕捉部と、前記放射状捕捉部の下部に連接されたロート状の誘引部と、前記誘引部から落下する前記コガネムシ科昆虫を捕獲する捕獲容器とを具備することにより達成される。
【００１２】
また、本考案の上記目的は、前記環状光源部の周縁に円筒状の光拡散板が配設されていることにより、或いは前記環状光源部が紫外線発光ダイオードで構成されていることにより、或いは前記放射状捕捉部が表面摩擦係数が小さい材料で形成されていることにより、或いは前記捕獲容器が、脱着可能な底容器を備えていることにより、或いは前記底容器が透明材料若しくは半透明材料で構成されていることにより、より効果的に達成される。
【考案の効果】
【００１３】
本考案のコガネムシ科昆虫捕獲装置によれば、フェロモン剤や芳香剤等を利用することなく、また、水や油等を常時用意する必要がないので保守性に優れ、簡易な構成で、ブルーベリー栽培域に飛来するコガネムシ科昆虫を容易に捕獲することができる。農薬や微生物等を散布する必要もないので、環境や衛生面でも優れている。
【図面の簡単な説明】
【００１４】
【図１】本考案に係るコガネムシ科昆虫捕獲装置の構成例を示す斜視（一部断面）図である。
【図２】本考案に使用する光源部の一例を示す展開図である。
【図３】本考案に使用する放射状捕捉部材と誘引部の一例を示す平面図である。
【図４】図３のＡ−Ａ‘の断面図である。
【図５】底容器の斜視図である。
【考案を実施するための形態】
【００１５】
本考案では、フェロモン剤や芳香剤等を利用することなく、また、水や油等を常時用意することなく簡易な構成で、ブルーベリー栽培域に飛来したコガネムシ科昆虫を捕獲するために、広範囲に照射される光でブルーベリー栽培域に飛来するコガネムシ科昆虫を誘引する環状光源部と、コガネムシ科昆虫が停まるための環状光源部の下方に垂設され、摩擦係数が小さい材料で成る放射状捕捉部と、放射状捕捉部の下部に連接されたロート状の誘引部と、誘引部から落下するコガネムシ科昆虫を捕獲すると共に、脱着可能な底容器を備えている捕獲容器とを具備したコガネムシ科昆虫捕獲装置の構成としている。かかる本考案のコガネムシ科昆虫捕獲装置によれば、フェロモン剤や芳香剤等を利用することなく、また、水等を常時用意する必要もなく、保守性に優れ、簡易な構成で、ブルーベリー栽培域に飛来するコガネムシ科昆虫を容易に捕獲することができる。微生物、薬剤等をブルーベリー栽培域に散布する必要もないので、環境面でも優れている
以下に本考案の実施の形態を、図面を参照して詳細に説明する。
【００１６】
図１は、本考案に係るコガネムシ科昆虫捕獲装置１の構成例を示しており、ブルーベリー栽培域に飛来したコガネムシ科昆虫を、広範囲に照射される光で誘引する環状光源部１０と、環状光源部１０の下方に針金、紐、金具等の係合部材２１で垂設され、環状光源部１０の光で誘引されたコガネムシ科昆虫が停まるための摩擦係数が小さい材料（例えば合成樹脂、金属）で成る放射状捕捉部２０と、放射状捕捉部２０の下部に連接されたロート状の誘引部３０と、誘引部３０から落下するコガネムシ科昆虫を捕獲すると共に、脱着可能な底容器４１を備えている捕獲容器４０とで構成されている。そして、コガネムシ科昆虫捕獲装置１は、ブルーベリー栽培域に張設された金網等の網部材２に電源線を含む吊り部材３で、環状光源部１０の円盤状上板１１の中央部に設けられている取付け部材４を介して吊り下げられている。なお、図示はしていないが、環状光源部１０を点灯／消灯する電源スイッチが設けられている。
【００１７】
環状光源部１０は上板１１の下面側に、側面に２段にわたって各段数個ずつ、弾性を有するフック部材１２を有する円筒状の基礎部材１３が取り付けられており、基礎部材１３には２個の円環状の蛍光灯１４Ａ及び１４Ｂが、フック部材１２を介して基礎部材１３に嵌合するように係合して配設されている。また、上板１１の側面には蛍光灯１４Ａ及び１４Ｂの照射光を広い範囲にわたって散乱させるための円筒状の光拡散板１５が設けられている。
【００１８】
環状光源部１０の詳細構造は図２に示すようになっており、基礎部材１３の側面には２段に数個づつのフック部材１２が設けられており、２本の蛍光灯１４Ａ及び１４Ｂがフック部材１２の弾性により締め付けられ、基礎部材１３に嵌合するように係合して基礎部材１３に取り付けられる。なお、蛍光灯１４Ａ及び１４Ｂには当然電源線が接続されている。この状態で、上方より、上板１１の周縁に光拡散板１５を取り付けられた円筒部材が覆いかぶされ、上板１１の下面と基礎部材１３の上面が固定されて環状光源部１０が構成される。
【００１９】
本例では２本の円環状蛍光灯を用いた例を示しているが、蛍光灯の本数は任意であり、コガネムシ科昆虫を誘引する光量があれば充分である。また、基礎部材１３に蛍光灯を取り付けるための部材はフックに限られるものではなく、蛍光灯を所定位置に保持できる部材であれば良い。
【００２０】
また、昆虫の視感度は波長約３５５〜３８０ｎｍの波長域とされており、この波長域の紫外光を照射する紫外線発光ダイオードを光源として用いることも可能である。このような光源を用いれば、コガネムシ科昆虫の視感度のピークに合致した誘引光源が実現され、より効率良くコガネムシ科昆虫を誘引することができる。
【００２１】
環状光源部１０の下部には、針金、紐、金具等の係合部材２１で放射状捕捉部２０が垂設されており、光で誘引されたコガネムシ科昆虫が放射状補足部２０に停まる状態が形成される。放射状捕捉部２０の下部には更にロート状の誘引部３０が配設されている。
【００２２】
放射状捕捉部２０及び誘引部３０の詳細は、図３及び図４に示されるようになっている。図３は平面図であり、図４は図３のＡ−Ａ‘の断面構造を示している。即ち、放射状捕捉部２０は、円柱の中心軸２２の側面の垂直方向に放射状に４枚の羽根型の捕捉板２３が設けられており、中心軸２２の頂部には係合部材２１を把持する把持部２４が設けられている。捕捉板２３の外周下部はカットされた傾斜構造になっており、捕捉板２３の外周下部に接するように誘引部３０のロート部３１が位置している。誘引部３０の底部は空洞３２となっており、放射状捕捉部２０から落下するコガネムシ科昆虫を捕獲容器４０に導くようになっている。
【００２３】
なお、本例では捕捉板２３を４枚で構成した例を示しているが、枚数は任意であり、形状も垂直方向に配設された放射状板材を具備し、放射状板材の底部が下方の誘引部３０のロート形状と整合するものであれば良い。
【００２４】
放射状捕捉部２０の下部に誘引部３０が配設されているため、放射状捕捉部２０に誘引部３０を固定して保持する必要がある。そのため、放射状捕捉部２０の捕捉板２３の外面下部と誘引部３０のロート部３１の内面とを接着剤で接着固定するか、或いは中心軸２２を誘引部３０に接続棒等を介して結合させるか、或いは金型、射出成型等で放射状捕捉部２０及び誘引部３０を一体成型する。
【００２５】
誘引部３０の下部には、誘引部３０から落下するコガネムシ科昆虫を捕獲すると共に、脱着可能な底容器４１を備えた円筒形状の捕獲容器４０が設けられている。捕獲容器４０の側面には、中を覗いて見ることができる長形状の窓４４が多数設けられている。底容器４１に窓４４が設けられていても良い。誘引部３０の空洞３２が捕獲容器４０の頂部の開口部に係合して、誘引部３０と捕獲容器４０とが連結されている。底容器４１は留め具４２で着脱自在であり、底容器４１の留め具４２を外し、底容器４１に捕獲されたコガネムシ科昆虫を廃棄する。底容器４１の斜視構造は図５に示すようになっており、留め具４２と係合する係合穴４３が設けられている。
【００２６】
なお、底容器４１は内部を目視にて確認できる透明材料若しくは半透明材料で構成しても良い。好ましい材料としては、ポリエチレン、ポリプロピレン、ポリ塩化ビニルなどである。底容器４１を透明材料若しくは半透明材料で構成した場合には窓４４は不要であり、捕獲量や生存状況などを簡単に確認することができ、コガネムシ科昆虫の廃棄などの作業性を向上させることができる。また、捕獲容器４０４０は円筒状でなくても良く、角柱形状等であっても良い。
【００２７】
このような構成において、ブルーベリー栽培域に飛来するコガネムシ科昆虫を捕獲するには、先ず電源スイッチで環状光源部１０の蛍光灯１４Ａ，１４Ｂを点灯する。コガネムシ科昆虫は光に誘引されてコガネムシ科昆虫捕獲装置１に飛来し、放射状捕捉部２０の捕捉板２３に停まることになるが、捕捉板２３の表面摩擦抵抗が小さくなっているため、そのまま捕捉板２３に停まることができず、コガネムシ科昆虫は下方に落下する。コガネムシ科昆虫の特性として、何かに停まろうとして足が滑った場合、直ちに羽を広げて飛ぶことができない。そのため、下方に落下したコガネムシ科昆虫は捕獲容器４０の底部の底容器４１内に集まることになり、脱出できないために捕獲される。
【００２８】
本考案は上述の実施形態に限定されるものではなく、設計変更により種々変更可能である。
【符号の説明】
【００２９】
１              コガネムシ科昆虫捕獲装置
２              網部材
３              吊り部材
４              取付け部材
１０            環状光源部
１１            円盤状上板
１２            フック部材
１３            基礎部材
１４Ａ，１４Ｂ  蛍光灯
２０            放射状捕捉部
２１            係合部材
２２            中心軸
２３            捕捉板
２４            把持部
３０            誘引部
３１            ロート部
３２            空洞部
４０            捕獲容器
４１            底容器
４２            留め具
４３            係合穴
４４            窓
【図１】
0003164250.tif 000003
【図２】
0003164250.tif 000004
【図３】
0003164250.tif 000005
【図４】
0003164250.tif 000006
【図５】
0003164250.tif 000007